【手続補正書】
【提出日】平成24年11月14日(2012.11.14)
【手続補正１】
【補正対象書類名】特許請求の範囲
【補正対象項目名】全文
【補正方法】変更
【補正の内容】
【特許請求の範囲】
【請求項１】
移動長尺固相を流動流体相に接触させるための装置であって、
円形または非円形の横断面を有し、流動流体相および移動長尺固相が共に入る内腔を画成する導管と、
前記流体相が前記内腔に入り、前記内腔を通過し、前記内腔から出ることを可能にするために前記内腔と連通する流体相ポートと、
前記移動固相が前記内腔に入り、前記内腔を通過し、前記内腔から出ることを可能にするために前記内腔と連通する固相ポートとを備え、
前記装置の内部からの前記固相ポートを通じた流体の流出を防止することができ、さらに前記装置は、
（ａ）前記導管の外側に、前記固相の上に試薬を堆積させるために、固相の上に、空間的にアドレス可能に試薬を堆積させるために配置された堆積装置と、
（ｂ）前記装置は導管を画成する構造を備え、該構造は、その面上に開口する溝を形成した第１プレート、および、第１プレートと係合して溝の周囲を閉鎖する第２プレートと、から選択された特徴を含む、装置。
【請求項２】
請求項１に記載の装置において、
固相および流体相が内部で接触する前記内腔の長さが、25cm〜500cmで、および／または
前記導管は、少なくとも10mmの幅を有するリボンの形の固相を収容するように構成され、
さらに前記導管は、11mm〜30cmの最長の横断面寸法を有する、装置。
【請求項３】
請求項１または２に記載の装置において、
前記装置は導管を画成する構造を備え、該構造は、面上に開口する溝を形成した第１プレート、および、第１プレートと係合して前記溝の周囲を閉鎖する第２プレートを備え、
前記第１プレートおよび前記第２プレートの少なくとも１つは、その上にまたはその中に、溝に含まれる流体相のパラメータを測定するために配置されたセンサ、溝をエネルギーに曝露するために配置されたエネルギー源、またはその両方を備える、装置。
【請求項４】
請求項１〜３のいずれか一項に記載の装置において、
前記流体相が液体相である、装置。
【請求項５】
請求項４に記載の装置において、
前記流体の流出を防止するために、
前記装置が直立姿勢で配置されるとき、前記固相ポートは前記流体相ポートの上方に空間をあけて位置し、使用中に前記液体相が前記固相ポートに接触しない、装置。
【請求項６】
請求項１〜５に記載の装置において、
前記導管が、前記導管の方向を変える領域を有する、装置。
【請求項７】
請求項６に記載の装置において、
前記導管は、前記領域で相互に連通する２つのアームを有し、
前記装置の使用中に、前記２つのアームは直立してそれらの下端で相互に流体連通するように構成される、装置。
【請求項８】
請求項６または７に記載の装置において、
前記領域はローラーを備え、
該ローラーの回転軸は、前記固相の移動方向に対して直交し、
前記ローラーは、前記固相が方向を変えるときに、前記固相が前記ローラーの外周の一部を越えるように配置される、装置。
【請求項９】
請求項１〜８の何れか一項に記載の装置において、
前記導管は、着脱可能に相互連結した複数のプレートによって画成され、
前記複数のプレートは、反対の向きで対面関係にある一対のプレートを備え、反対向きの面の間で、前記一対のプレートと平行な方向に延びる前記導管の長さを定める、装置。
【請求項１０】
請求項８に記載の装置において、
３つのプレートを備え、それぞれ２つの反対向きの面を持ち、
前記プレートは、対面関係で着脱可能に相互連結し、第１端プレートと第２端プレートの間に中間プレートが位置して、
相互連結する前記プレートはユニットを形成し、該ユニットの使用時にユニットの最上部に配置される上端部およびユニットの底部に配置される下端部を有し、
前記中間プレートはその中に、ユニットの前記下端部に向かって形成された開口部を有して前記中間プレートの２つの面の間で溝を形成し、前記開口部はその中で回転可能に取付けられたローラーを備え、また
前記第１端プレートおよび前記中間プレートはそれらの間に導管の第１アームを画成し、
前記第２端プレートおよび前記中間プレートはそれらの間に導管の第２アームを画成し、
前記第１アームおよび前記第２アームは、前記ユニットの上部から前記ユニットの底部の方向に延びて、それぞれ前記開口部において終端し、前記開口部と流体連通し、さらに、
前記第１アームおよび前記第２アームはそれぞれ前記固相ポートおよび前記流体相ポートと連通する上部領域を有し、それぞれのアームの前記固相ポートは、アームの前記流体相ポートから空間をあけて上方に位置する、装置。
【請求項１１】
請求項１０に記載の装置において、
前記第１アームおよび前記第２アームは前記ユニットの上端部に向かって延び、
前記アームの上向きの開口端において前記固相ポートを画成する、装置。
【請求項１２】
請求項１０または１１に記載の装置において、
前記中間プレートの反対向きのそれぞれの面は、前記中間プレートの面と対向するそれぞれの端プレートに向かう方向に開口する溝を形成し、
前記第１アームおよび前記第２アームは、前記溝およびそれぞれの端プレートによって形成される、装置。
【請求項１３】
請求項１〜１２の何れか一項に記載の装置において、
さらにローラーを備え、前記固相が前記固相ポートに入る前に、また場合によっては前記固相ポートを出た後に、固相を誘導するように前記ローラーが配置される、装置。
【請求項１４】
請求項１〜１３の何れか一項に記載の装置において、
エネルギー源が、少なくとも内腔の一部をエネルギーに曝露するように配置され、前記エネルギー源は超音波振動子またはマグネトロン、レーザ、発光ダイオード、水銀灯、または他のＵＶ供給源、または他の電磁放射の供給源、熱源、またはそれらの組合せを含む、装置。
【請求項１５】
請求項１〜１３の何れか一項に記載の装置において、さらに
前記固相が前記導管を通過した後に前記固相のパラメータを測定するために導管の外側に配置されたセンサと、
前記センサとの通信が可能なプロセッサと、
前記プロセッサと通信が可能で、少なくとも前記内腔の一部をエネルギーに曝露するように配置されたエネルギー源、前記固相を前記導管の中で移動させるための駆動装置、前記導管に流体相の流れを供給するための流体計量装置と、前記流体相を加熱するように配置されたヒーターの少なくとも１つの制御可能な装置とを備え、
前記プロセッサは測定された前記パラメータに応じて、前記少なくとも１つの制御可能な装置を制御することができる、装置。
【請求項１６】
請求項１３に記載の装置において、
第１の前記装置が第２の前記装置と組合わされて、
前記第１の装置の固相ポートを出てローラーを経由して第２の装置の固相ポートに入る、前記長尺固相の移動に沿った通路を形成する、装置。
【請求項１７】
請求項１６に記載の装置において、
第１の前記装置の流体相ポートが第２の前記装置の流体相ポートと流体連通する、装置。
【請求項１８】
請求項１６に記載の装置において、
第１の前記装置および第２の前記装置が互いに流体連通しない、装置。
【請求項１９】
請求項１８に記載の装置において、さらに第３の前記装置を備え、
第３の前記装置の流体相ポートが、第２の前記装置の流体相ポートと流体連通する、装置。
【請求項２０】
長手方向に移動する長尺固相に連続する複数の処理を施すためのシステムで、
移動長尺固相を流動流体相に接触させるための複数の相接触装置を備え、
それぞれの相接触装置は
（i）横断面が円形または非円形で、流動流体相および移動長尺固相が共に入るように内腔を画成する導管と、
（ii）流体相を前記内腔に入れて、前記内腔の中を移動させ、前記内腔から出すことを可能にするために前記内腔と連通する流体相ポートと、
（iii)固相を前記内腔に入れて、前記内腔の中を移動させ、前記内腔から出すことを可能にするために内腔と連通する固相ポートとを備え、
内部から前記固相ポートを通して流体が流出するのを防止することができ、
前記システムは、連続する相接触装置の間に固相通路が形成され、前記固相が前記連続する相接触装置の中を次々に移動することができるように配置され、
第１相接触装置および第２相接触装置は、連続して前記通路に沿って配置され、共通の第１流体供給源から流体を受入れ、
通路に沿った第３相接触装置が第２流体供給源から流体を受入れるように配置される、システム。
【請求項２１】
請求項２０に記載のシステムにおいて、
第１および第２相接触装置は、第１流体供給源から流体を受入れるように配置され、
第１相接触装置の流体相ポートは、第２相接触装置の流体相ポートと流体連通し、
前記第１相接触装置から前記第２相接触装置に流体を流すことができる、システム。
【請求項２２】
請求項２０に記載のシステムにおいて、
前記第１および第２相接触装置は、前記第１流体供給源から流体を受入れるように配置され、
共にいかなる前記相接触装置も含まない流動通路を経て前記第１流体供給源と連通する、システム。
【請求項２３】
請求項２０〜２２の何れか一項に記載のシステムにおいて、
前記第１および第２相接触装置が着脱可能に互いに連結する、システム。
【請求項２４】
請求項２０〜２３の何れか一項に記載のシステムにおいて、
第１および第２相接触装置がそれぞれ着脱可能に相互連結したプレートを備え、
前記プレートは、反対の向きで対面関係にある一対のプレートと、
前記一対のプレートと平行な方向に延びる導管の長さを前記一対のプレートの反対向きの面の間で定め、
さらに、第１相接触装置の一対のプレートの１つのプレートは、第２相接触装置に共有され、第２相接触装置の一対のプレートの１つのプレートを形成する、システム。
【請求項２５】
請求項２０〜２４の何れか一項に記載のシステムにおいて、
少なくともいくつかの連続する相接触装置は、１つ以上の相接触装置スタック状に配置され、
前記または各スタックは複数の相接触装置を備え、前記複数の相接触装置は互いに連結し、そのスタックの前記相接着装置のための共通の流体供給源と流体連通して（または流体連通して配置することが可能であり）、
前記第１および第２相接触装置が同一のスタックに配置される、システム。
【請求項２６】
請求項２５に記載のシステムにおいて、
前記または各スタックはさらに、相接触装置を収容するハウジングを備え、
相接触装置の外側で固相通路に沿って固相を誘導するように配置されるローラーが連結される、システム。
【請求項２７】
請求項２６に記載のシステムにおいて、
各スタックの少なくとも１つのローラーが、前記ローラーに回転を与えて前記固相を動かすための駆動装置と連結した駆動ローラーである、システム。
【請求項２８】
請求項１６〜２７の何れか一項に記載のシステムにおいて、
さらに、通路に沿って移動する前記固相の上に試薬を堆積するために、連続する相接触モジュールの外側に配置された堆積装置を備える、システム。
【請求項２９】
請求項２８に記載のシステムにおいて、
前記装置は２つの連続する前記相接触モジュールの間に配置される、システム。
【請求項３０】
請求項２８又は２９に記載のシステムにおいて、
堆積区域を含み、
固相の上に試薬を堆積するために通路に沿って複数の堆積装置が配置される、システム。
【請求項３１】
請求項３０に記載のシステムにおいて、
空間的にアドレス可能な方法で、複数の堆積装置が配置される、システム。
【請求項３２】
請求項３０又は３１に記載のシステムにおいて、さらに、
前記連続する相接触モジュールの外側に配置されたセンサ装置を備え、前記通路に沿って移動する前記固相のパラメータを検出するシステム。
【請求項３３】
請求項２０〜２９の何れか一項に記載のシステムにおいて、
前記通路に沿って移動する前記固相の上に試薬を堆積するための堆積装置と、
相接触モジュールと、
前記通路に沿って移動する前記固相のパラメータを検出するためのセンサ装置と、
を前記通路に沿って連続して配置した、システム。
【請求項３４】
移動長尺固相と流動液体相を処理するプロセスにおいて、
導管の内腔を通る前記固相および前記液体相の移動を含み、その中で２つの相が相互接触し、
（ａ）前記液体相が、固相と化学反応するための少なくとも１つの試薬を含むプロセスと、
（ｂ）前記長尺固相が、基質及びそこに結合した物質を備え、前記液体相が、生体分子または、生体分子もしくは他の薬品のための特定の結合パートナーを含み、それが所定の特性を有する分析物と接触するとき、この種の分析物に測定可能な反応を発生させるための固有のプロセスを生じさせるプロセスと、
から選択される、プロセス。
【請求項３５】
請求項３４に記載のプロセスにおいて、さらに、前記検出可能な反応の検出を含む、プロセス。
【請求項３６】
請求項３４又は３５に記載のプロセスにおいて、
前記固相および前記流体相が内部で接触する前記内腔の長さは25cm〜500cmであり、および／または、固相は10mm〜30cmの幅を有するリボンである、プロセス。
【請求項３７】
請求項３４又は３５に記載のプロセスにおいて、
固相は請求項１〜１９の何れか一項に記載の装置の第１固相ポートを通って移動し前記装置の前記内腔に入り、前記内腔を通過し、前記装置の第２固相ポートを通って出て、
流体相は装置の第１流体相ポートを通って装置の前記内腔に入り、前記内腔を通って、装置の第２流体相ポートを通って出る、プロセス。
【請求項３８】
請求項３４又は３５に記載のプロセスにおいて、
前記固相を、移動長尺固相を流動流体相に接触させるための装置の第１固相ポートを通して移動させるプロセスを含み、
前記装置は、
円形または非円形の横断面を有し、流動流体相および移動長尺固相が共に入る内腔を画成する導管と、
前記流体相が前記内腔に入り、前記内腔を通過し、前記内腔から出ることを可能にするために前記内腔と連通する流体相ポートと、
前記移動固相が前記内腔に入り、前記内腔を通過し、前記内腔から出ることを可能にするために前記内腔と連通する固相ポートとを備え、
前記装置の内部からの前記固相ポートを通じた流体の流出を防止することができ、
前記固相は装置の第１固相ポートを通って移動し前記装置の前記内腔に入り、前記内腔を通過し、前記装置の第２固相ポートを通って出て、
流体相は装置の第１流体相ポートを通って装置の前記内腔に入り、前記内腔を通って、装置の第２流体相ポートを通って出て、
前記装置は、第１の前記装置と第２の前記装置が組合されて通路を形成し、通路に沿って前記長尺固相は移動し、前記第１装置の前記第２固相ポートから前記第２装置の第１固相ポートに入り、それから流体が第２装置の中を流れる際に、前記第２装置の前記内腔を通って、前記第２装置の前記第２固相ポートから出る、プロセス。
【請求項３９】
請求項３４〜３６の何れか一項に記載のプロセスにおいて、
前記液体相は前記内腔を通り、前記固相の移動と逆方向に流れる、プロセス。
【請求項４０】
請求項３４〜３９の何れか一項に記載のプロセスにおいて、
前記長尺固相は、基質を備える、プロセス。
【請求項４１】
請求項４０に記載のプロセスにおいて、
前記基質は、綿もしくは他のセルロース系材料、合成ポリマーまたはガラスを含む、プロセス。
【請求項４２】
請求項４０又は４１に記載のプロセスにおいて、
前記基質はそこに結合した物質を含む、プロセス。
【請求項４３】
請求項４０〜４２の何れか一項に記載のプロセスにおいて、
前記流体相は試薬を含み、基質またはそこに結合する物質と反応する、プロセス。
【請求項４４】
請求項４３に記載のプロセスにおいて、
前記流体相は液体相で、
前記プロセスは固相合成を含み、前記試薬は基質またはそこに結合した物質と反応し、保護基を除去するか、官能基を活性化するか、または共有結合の形成により合成ビルディングブロックを基質もしくは物質に付加する、プロセス。
【請求項４５】
請求項３８に記載のプロセスにおいて、
共通の流体供給源が、第１の前記装置および第２の前記装置の中を流れる前記流体を供給する、プロセス。
【請求項４６】
請求項３８に記載のプロセスにおいて、
前記第１装置を通って流れる流体を、前記第２装置を通って流れる流体とは異なる流体供給源から供給する、プロセス。
【請求項４７】
請求項４６に記載のプロセスにおいて、
前記第１装置を通って流れる流体は、
前記基質またはそこに結合する物質と反応する試薬または標識薬品を含み、
さらに前記第２装置を通って流れる流体が前記長尺固相を洗浄する、プロセス。
【請求項４８】
請求項３８、４５及び４６の何れか一項に記載のプロセスにおいて、
固相合成を含み、
前記長尺固相は合成を行う際に、連続する複数の前記装置を通って移動し、
それぞれの装置内の前記固相および前記流体相は、合成の各ステップを実行するために互いに接触し、
それぞれの前記各ステップを、単一の前記装置においてのみならず、次々に配置された複数の前記装置においても実行する、プロセス。
【請求項４９】
請求項４８に記載のプロセスにおいて、さらに
複数の合成ビルディングブロックを前記長尺固相の上に空間的にアドレス可能に配置し、前記基質またはそこに結合する物質と反応させて異なる物質のアレイを形成する、プロセス。
【請求項５０】
請求項４９に記載のプロセスにおいて、
固相合成の結果として、合成後の固相は空間的に異なる領域のアレイを有し、それぞれの領域は、基質に結合するそれぞれの所定の構造の最終生成物分子を含み、
プロセスはさらに、
（ａ）合成後の固相を薬品に曝露し、それが所定の特性を有する分析物と接触するときに、この種の分析物に検出可能な反応を発生させるために特有のプロセスが起こり、
（ｂ）それぞれの空間的に異なる領域の検出可能な反応の存在および／または量を測定する、プロセス。
【請求項５１】
請求項５０に記載のプロセスにおいて、
曝露ステップは合成後の固相を、請求項１〜１９の何れか一項に記載の装置の前記導管に通過させることおよび、前記薬品を含む液体相を前記導管に通すことを含む、プロセス。
【請求項５２】
請求項１〜１９の何れか一項に記載の装置において、該装置が分子の合成およびスクリーニングに使用するための合成システムの中に含まれるとき、前記合成システムは、
長尺固相が沿って移動するための通路を形成し、
前記装置は前記通路に沿って下流方向に配置され、さらに、
連続する処理ステーションがそれぞれ固相合成の各段階を実行し、少なくとも処理ステーションの１つは、固相の上に合成ビルディングブロックを空間的にアドレス可能に堆積させるための複数の堆積装置を備え、また少なくとも１つの前記処理ステーションは請求項１〜１９の何れか一項に記載の装置を備え、
前記固相を薬品に接触させるための処理ステーションが、それが所定の特性を持つ分析物と接触するときに、この種の分析物は特有のプロセスを経て測定可能な反応を発生し、
測定ステーションが、それぞれ空間的に異なる領域における測定可能な反応の量を測定する、装置。
【請求項５３】
請求項５２に記載の装置において、請求項１の特徴（ａ）および（ｂ）をいずれも含まない、装置。